(57)【要約】【課題】第２の歯部に引き込み角度を持たせた場合でも製造が容易な一体構造のラックを有する光学機器を提供する。【解決手段】光学機器は、光学部材Ｌ２を保持する保持部材２と、該保持部材２に取り付けられたラック１６と、該ラックに噛み合うリードスクリュー１４ｂを回転させるアクチュエータ１４とを有する。ラックは、該ラックを保持部材に取り付けるための取り付け部１６ａと、リードスクリューを間に挟んで該リードスクリューに噛み合う第１の歯部１６ｂ及び第２の歯部１６ｄと、取り付け部と第２の歯部とを繋ぐ弾性を有する接続部１６ｅとを有する一体部品として形成されている。第２の歯部は、取り付け部から離れるほど第１の歯部との間隔が狭くなるように形成されている。接続部１６ｅには、第１の歯部側に突出する突起１６ｆが設けられている。【選択図】図４
2008158069.tif 000002
【特許請求の範囲】
【請求項１】
光学部材を保持する保持部材と、
該保持部材に取り付けられたラックと、
該ラックに噛み合うリードスクリューを回転させるアクチュエータとを有し、
前記ラックは、該ラックを前記保持部材に取り付けるための取り付け部と、前記リードスクリューを間に挟んで該リードスクリューに噛み合う第１の歯部及び第２の歯部と、前記取り付け部と前記第２の歯部とを繋ぐ弾性を有する接続部とを有する一体部品として形成されており、
前記第２の歯部は、前記取り付け部から離れるほど前記第１の歯部との間隔が狭くなるように形成されており、
前記接続部に、前記第１の歯部側に突出する突起が設けられていることを特徴とする光学機器。
【請求項２】
前記突起における取り付け部側の端部は、該取り付け部から離れるほど突出量が増加する形状を有することを特徴とする請求項１に記載の光学機器。
【請求項３】
前記端部は傾斜形状を有し、
前記第１の歯部に対する前記端部の傾斜角は、前記第１の歯部に対する前記第２の歯部の傾斜角より大きいことを特徴とする請求項１又は２に記載の光学機器。
【発明の詳細な説明】
【技術分野】
【０００１】
本発明は、デジタルスチルカメラ、ビデオカメラ及び交換レンズ等の光学機器に関し、特にリートスクリューとラックによりレンズ等の光学部材を移動させる光学機器に関する。
【背景技術】
【０００２】
上記のような光学機器は、光学部材を保持する保持部材にラックが取り付けられ、該ラックがリードスクリューに噛み合う構成を有する。リードスクリューがモータにより回転すると、該リードスクリューとラックの歯部との噛み合いによりリードスクリューの回転力が軸方向駆動力に変換され、保持部材を光軸方向に移動させることができる。
【０００３】
特許文献１には、リードスクリューを径方向両側から挟んでこれに噛み合う第１の歯部と第２の歯部を有するラックが開示されている。主たるラック歯として機能する第１の歯部をリードスクリューに対して押しつける押さえ部として機能する第２の歯部には、リードスクリューの外径部に当接しないように頂角が設定されている。これにより、リードスクリューの外径部の表面粗さに起因したリードスクリューと押さえ部との摺動による異音の発生等が防止される。なお、各歯部に形成された歯は、リードスクリューの軸方向に直交する方向に延びる形状を有する。
【０００４】
また、特許文献２には、第２の歯部を第１の歯部に対してリードスクリュー側に傾ける（引き込み角度を持たせる）ことで、ラックが取り付けられた保持部材（つまりは光学部材）の揺れを防止した光学機器が開示されている。
【特許文献１】特開平８−２４８２８４号公報（段落００１３〜００１４、図３等）
【特許文献２】特開平６−１７４９９２号公報（段落００１６、図４等）
【発明の開示】
【発明が解決しようとする課題】
【０００５】
しかしながら、特許文献１にて開示された光学機器では、ラックの歯部に形成された歯がリードスクリューの軸方向に対して直交した方向に延びているため、摺動抵抗が大きい。このような摺動抵抗を小さくするためには、各歯が延びる方向をリードスクリューのリード角度方向に合わせればよい。すなわち、第１の歯部の歯と第２の歯部の歯の延びる方向がリードスクリューの径方向から見たときにクロスするように形成すればよい。
【０００６】
しかし、このようなラックを樹脂で一体成形することを考えると、歯が延びる方向とその歯を成形する型の引き抜き方向とが異なってしまうため、型を引き抜くことができなくなる。すなわち。金型構造上、ラックの製造が困難である。
【０００７】
また、特許文献２にて開示された光学機器では、第２の歯部に引き込み角度を持たせているため、第２の歯部を成形する型を引き抜く際に、該第２の歯部に局所的な応力が発生し、傷が付いたり破損したりするおそれがある。
【０００８】
本発明は、第２の歯部に引き込み角度を持たせた場合でも製造が容易な一体構造のラックを有する光学機器を提供する。
【課題を解決するための手段】
【０００９】
本発明の一側面としての光学機器は、光学部材を保持する保持部材と、該保持部材に取り付けられたラックと、該ラックに噛み合うリードスクリューを回転させるアクチュエータとを有する。ラックは、該ラックを保持部材に取り付けるための取り付け部と、リードスクリューを間に挟んで該リードスクリューに噛み合う第１の歯部及び第２の歯部と、取り付け部と第２の歯部とを繋ぐ弾性を有する接続部とを有する一体部品として形成されている。第２の歯部は、取り付け部から離れるほど第１の歯部との間隔が狭くなるように形成されている。そして、接続部には、第１の歯部側に突出する突起が設けられていることを特徴とする。
【発明の効果】
【００１０】
本発明によれば、第１のラック歯部と第２のラック歯部との間から型を引き抜く場合に、該型が突起を押すことで接続部が弾性変形し、第２のラック歯部が第１のラック歯部に対して開く。このため、両ラック歯部に傷を付けたり局所的な応力を発生させたりせずに型を引き抜くことができる。したがって、引き込み角度を持った第２のラック歯を有する一体部品としてのラックを容易に製造することができ、その結果、組み立てが容易で、保持部材(光学部材)の駆動時の揺れや異音の発生が少ない光学機器を実現することができる。
【発明を実施するための最良の形態】
【００１１】
以下、本発明の好ましい実施例について図面を参照しながら説明する。
【実施例１】
【００１２】
図１及び図２には、本発明の実施例１であるビデオカメラの構成を示す。本実施例のビデオカメラは、物体側から凸凹凸凸の４つのレンズユニットを有する変倍光学系としての撮影光学系を有する。図１はビデオカメラの分解斜視図、図２はその断面図である。
【００１３】
これらの図において、物体側から順に、Ｌ１は固定の第１レンズユニット、Ｌ２は光軸方向に移動することにより変倍を行う第２レンズユニット、Ｌ３は固定の第３レンズユニット、Ｌ４は光軸方向に移動して焦点調節を行う第４レンズユニットである。
【００１４】
また、１は第１レンズユニットＬ１を保持する前玉鏡筒、２は第２レンズユニットＬ２を保持する保持部材としてのズーム移動枠である。３は第３レンズユニットＬ３を保持する第３レンズ鏡筒を一体化した固定鏡筒である。４は第４レンズユニットを保持するフォーカス移動枠である。
【００１５】
５はＣＣＤセンサやＣＭＯＳセンサ等の撮像素子６が固定される撮像素子ホルダである。
【００１６】
前玉鏡筒１は、固定鏡筒３に対して３本のビスにより前方から結合される。また、撮像素子ホルダ５は、固定鏡筒３に対して３本のビスで後方から結合される。
【００１７】
７は光量調節ユニットである。該光量調節ユニット７は、２枚の絞り羽根（遮光部材）７ａ，７ｂによって光が通過する開口（可変開口）を形成する。光量調節ユニット７は、ガルバノメータ等により構成される絞りモータ７ｃによって絞り羽根７ａ，７ｂを図中の上下方向における互いに反対方向に移動させることで、開口径を変化させる。光量調節ユニット７は、いわゆるギロチン式の光量調節ユニットである。
【００１８】
なお、光量調節ユニット７は、固定鏡筒３に設けられた開口部３ａを通して下方から組み込まれ、撮影光学系の瞳位置又はその周辺に配置される。
【００１９】
図１において、８，９は固定鏡筒３と前玉鏡筒１によりその両端が保持されたガイドバーである。また、１０，１１は固定鏡筒３と撮像素子ホルダ５によりその両端が保持されたガイドバーである。
【００２０】
保持部材としてのズーム移動枠２は、ガイドバー８，９により光軸方向に移動可能に支持されている。また、フォーカス移動枠４は、ガイドバー１０，１１により光軸方向に移動可能に支持されている。なお、ズーム移動枠２及びフォーカス移動枠４はそれぞれ、光軸方向に特定の長さを有するスリーブ部２ａ，４ａを有し、各スリーブ部にて一方のガイドバーに光軸方向に移動可能に係合する。これにより、各移動枠の光軸方向への倒れが防止される。また、各移動枠はＵ溝部を有し、このＵ溝部で他方のガイドバーに係合する。これにより、各移動枠の上記一方のガイドバー回りでの回転が阻止される。
【００２１】
１２，１３はフォトインタラプタにより構成されるズームリセットスイッチとフォーカスリセットスイッチである。これらリセットスイッチ１２，１３はそれぞれ、ズーム移動枠２及びフォーカス移動枠４に形成された遮光部２ｂ，４ｂの光軸方向移動による遮光状態と透光状態との切り換わりを検出する。該リセットスイッチ１２，１３からの出力変化によって、第２及び第４レンズユニットＬ２，Ｌ４がそれぞれ、その移動量を計測するための基準位置に位置しているか否かを検出することができる。
【００２２】
ズームリセットスイッチ１２及びフォーカスリセットスイッチ１３はそれぞれ、補強板を介してビスにより固定鏡筒３に固定されている。
【００２３】
１４は第２レンズユニットＬ２を光軸方向に移動させるアクチュエータとしてのステッピングモータ（以下、ズームモータという）である。１５は第４レンズユニットＬ４を光軸方向に移動するアクチュエータとしてのステッピングモータ（以下、フォーカスモータという）である。
【００２４】
ズームモータ１４及びフォーカスモータ１５の出力軸にはそれぞれ、リードスクリューが形成されている。ズームモータ１４及びフォーカスモータ１５はそれぞれ、２本のビスと一箇所の引っ掛け部（不図示）により固定鏡筒３に固定される。
【００２５】
１６，１７はラックであり、ズーム及びフォーカス移動枠２，４にそれぞれ取り付けられている。これらラック１６，１７はそれぞれ、ズームモータ１４及びフォーカスモータ１５のリードスクリューに噛み合う。ズームモータ１４及びフォーカスモータ１５が回転すると、リードスクリューの回転力がラック１６，１７によって光軸方向の駆動力に変換される。これにより、ズーム移動枠２及びフォーカス移動枠４が光軸方向に駆動される。
【００２６】
１８，１９はコイルばねであり、ラック１６，１７をズーム及びフォーカス移動枠２，４のそれぞれに対して光軸方向一方に向けて片寄せしている。また、コイルばね１８，１９は、ラック１６，１７をリードスクリューに噛み合う方向に付勢する機能も有する。これらステッピングモータ、ラック、コイルばねによりレンズ（ズーム、フォーカス）駆動機構が構成される。
【００２７】
次に、レンズ駆動機構について、図３Ａを用いて説明する。図３Ａは、第２レンズユニットＬ２を保持したズーム移動枠２を駆動するためのズーム駆動機構の分解斜視図である。
【００２８】
１４ａはズームモータ１４における駆動部としてのモータ部であり、該モータ部１４ａの出力軸がリードスクリュー１４ｂである。
【００２９】
ラック１６は、ズームモータ１４のリードスクリュー１４ｂに噛み合う第１の歯部であるメインラック歯部（以下、単にメイン歯部という）１６ｂと、メイン歯部１６ｂとの間にリードスクリュー１４ｂを挟み込む第２の歯部である加圧歯部１６ｄとを有する。１６ａは、ラック１６をズーム移動枠２に取り付けるための取り付け部である。該取り付け部１６ａは、光軸方向両側に軸部を有する。該軸部がズーム移動枠２に形成された穴部２ｃに挿入されることで、ラック１６は、ズーム移動枠２に、光軸に直交する面内で回動可能に取り付けられる。
【００３０】
１６ｃは外れ防止部であり、メイン歯部１６ｂとの間にリードスクリュー１４ｂを挿入できるように、加圧歯部１６ｄの光軸方向前後に設けられている。
【００３１】
１６ｅは、取り付け部１６ａと加圧歯部１６ｄとを繋ぐ板バネ形状を有する接続部であり、メイン歯部１６ｂに近づく方向及び離れる方向（リードスクリュー１４ｂの径方向）に弾性を有する。ラック１６は、上記各部を有する一体成型部品である。
【００３２】
図３Ｂには、ラック１６を光軸方向（リードスクリュー１４ｂの軸方向）から見て示している。メイン歯部１６ｂの内側、つまりは加圧歯部１６ｄ側には、メインラック歯（以下、単にメイン歯という）１６ｂ１が形成されている。また、加圧歯部１６ｄの内側、つまりはメイン歯部１６ｂ側には、加圧歯１６ｄ１が形成されている。
【００３３】
なお、本実施例では、メイン歯１６ｂ１及び加圧歯１６ｄ１の長手方向は、リードスクリュー１４ｂの軸方向に直交する方向に対して平行な方向である。
【００３４】
ラック１６がリードスクリュー１４ｂに噛み合った状態では、接続部１６ｅが弾性変形して加圧歯部１６ｄがメイン歯部１６ｂから離れる方向に変位する。この状態で、接続部１６ｅに生じた弾性力により、メイン歯１６ｂ１と加圧歯１６ｄ１がそれぞれリードスクリュー１４ｂにその径方向両側から押しつけられる。
【００３５】
さらに、図３Ｂに示す光軸方向視において、加圧歯１６ｄ１は、取り付け部１６ａから離れるほどメイン歯１６ｂ１（メイン歯部１６ｂ）との間隔が狭くなるようにメイン歯１６ｂ１に対して傾斜している。この傾斜角度は、引き込み角度とも称される。
【００３６】
引き込み角度を有する加圧歯部１６ｄが接続部１６ｅの弾性力によってリードスクリュー１４ｂの斜め下側を押すことで、ラック１６は、リードスクリュー１４ｂから図の斜め下方に向かう反力を受ける。この反力は、ラック１６とこのラック１６が取り付けられたズーム移動枠２をリードスクリュー１４ｂ側に引き込む力として作用する。これにより、ズーム移動枠２（つまりは第２レンズユニットＬ２）のズーム駆動中の光軸直交面内での揺れを抑えることができる。
【００３７】
さらに、接続部１６ｅの内側における加圧歯部１６ｄ寄りの位置には、メイン歯部１６ｂ側に突出する突起１６ｆが形成されている。突起１６ｆのうち取り付け部１６ａ側の端部１６ｆ１は、該取り付け部１６ａから離れるほど突出量が増加する傾斜形状を有する。ここで、メイン歯１６ｂ１に対する該傾斜端部１６ｆ１の傾斜角は、メイン歯１６ｂ１に対する加圧歯１６ｄ１の傾斜角（引き込み角）より大きい。これについては、後に詳しく説明する。
【００３８】
図４には、ラック１６を樹脂成型するための金型構造を示す。金型は、メイン歯部１６ｂ、加圧歯部１６ｄ及び接続部１６ｅの内側部分を成形するための第１金型Ａと、メイン歯部１６ｂの外側部分を成形するための第２金型Ｂと、加圧歯部１６ｄ及び接続部１６ｅの外側部分を成形するための第３金型Ｃとにより構成される。また、第２及び第３金型Ｂ，Ｃは、取り付け部１６ａの外側部分も成形する。
【００３９】
組み合わされた第１〜第３金型Ａ〜Ｃ内の空間に溶融した樹脂が充填され、該樹脂が硬化してラック１６の形状が出来上がると、まず、第２及び第３金型Ｂ，Ｃがそれぞれ、矢印ｂ，ｃの方向に取り外される。次に、第１金型Ａが、メイン歯部１６ｂと加圧歯部１６ｄの間から矢印ａの方向に引き抜かれる。
【００４０】
第１金型Ａの引き抜きに際して、第１金型Ａのうち突起１６ｆの傾斜端部１６ｆ１を成形した部分（突起成形部）が、該傾斜端部１６ｆ１を押す。これにより、加圧歯部１６ｄは、図に一点鎖線で示すように、接続部１６ｅが外側に弾性変形することでメイン歯部１６ｂから離れる。つまり、メイン歯部１６ｂと加圧歯部１６ｄとの間の間隔を、第１金型Ａをスムーズに引き抜くことができる大きさに広げることができる。
【００４１】
ここで、前述したように、メイン歯１６ｂ１の長手方向に対する傾斜端部１６ｆ１の傾斜角θ２は、メイン歯１６ｂ１の長手方向に対する加圧歯１６ｄ１の引き込み角θ１より大きい。このため、第１金型Ａの引き抜き時には、第１金型Ａのうち加圧歯１６ｄ１を成形した部分（加圧歯成形部）が加圧歯１６ｄ１を押す前に、第１金型Ａの突起成形部が傾斜端部１６ｆ１を押して加圧歯１６ｄ１（加圧歯部１６ｄ）を加圧歯成形部に対して逃がす。したがって、加圧歯１６ｄ１を第１金型Ａの加圧歯成形部によって傷つけることなく、第１金型Ａを引き抜くことができる。
【００４２】
以上のラック１６と同様の構成は、第４レンズユニットＬ４を保持したフォーカス移動枠４を駆動するためのフォーカス駆動機構に用いられるラック１７にも採用されている。ただし、ズーム駆動機構とフォーカス駆動機構のうち一方にのみ、上述したラックの構成を採用してもよい。
【００４３】
図５には、本実施例のビデオカメラの電気的構成を示している。なお、図１〜図４中の構成要素と共通するものには、これらの図中の符号と同じ符号を付している。
【００４４】
２２５はバリエータである第２レンズユニットＬ２の光軸方向での位置を検出するためのズームエンコーダである。２２７は第４レンズユニットＬ４の光軸方向での位置を検出するためのフォーカスエンコーダである。これらのエンコーダはそれぞれ、ズーム及びフォーカスリセットスイッチ１２，１３により検出された基準位置からの第２及び第４レンズユニットＬ２，Ｌ４の光軸方向での位置（移動量＝駆動パルス数）を検出する。
【００４５】
なお、ズームモータ１４及びフォーカスモータ１５としては、上述したステッピングモータに限らず、ＤＣモータや振動型モータを用いることもできる。また、第２及び第４レンズユニットＬ２，Ｌ４の位置を検出するために、エンコーダ以外の位置検出器を用いてもよい。
【００４６】
２２６は絞りエンコーダであり、第１及び第２の絞りモータ７ｃ，７ｄの内部にホール素子（hall element）を配置し、ロータとステータの回転位置関係を検出する方式のもの等を用いることができる。なお、絞り羽根７ａ，７ｂには、いわゆる小絞り回折による画質劣化を防止するためにＮＤフィルタ（図示せず）が貼り付けられている。ただし、ＮＤフィルタを絞り羽根７ａ，７ｂとは独立して設け、専用のモータによってＮＤフィルタを光路に出し入れしてもよい。
【００４７】
２２８はカメラ信号処理回路であり、撮像素子６からの出力に対して増幅処理やガンマ補正処理等を施す。これらの処理を経て生成された映像信号は、不図示のディスプレイに表示されたり、不図示の記録媒体（半導体メモリ、光ディスク、ハードディスク、磁気テープ等）に記録されたりする。
【００４８】
また、映像信号のうち輝度信号Ｙは、ＡＥ（自動露出）ゲート２２９及びＡＦ（オートフォーカス）ゲート２３０に入力される。ＡＥゲート２２９及びＡＦゲート２３０は、全画面のうち露出決定及びピント合わせのために最適な信号取り出し範囲を設定する。これらのゲート２２９，２３０による信号取り出し範囲の大きさは可変であってもよいし、ゲートが複数設けられていてもよい。
【００４９】
２３１はＴＶ−ＡＦに用いられる信号を生成するＡＦ信号処理回路である。ＡＦ信号処理回路２３１は、ＡＦゲート２３０の数に応じて、映像信号の高周波成分に関する１若しくは複数のＡＦ評価値信号を生成する。
【００５０】
２３３はズームスイッチであり、ユーザの操作に応じてズーム指令をコントローラとしてのＣＰＵ２３２に出力する。
【００５１】
２３４はズームトラッキングメモリであり、変倍に際して、被写体距離と第２レンズユニットＬ２の位置に対して合焦を維持するための第４レンズユニットＬ４の位置情報を記憶する。ズームトラッキングメモリとして、ＣＰＵ２３２内のメモリを使用してもよい。
【００５２】
ズームスイッチ２３３が操作されると、ＣＰＵ２３２は以下の動作を行う。ＣＰＵ２３２は、ズームトラッキングメモリ２３４内の位置情報（メモリ位置）に基づき、第２及び第４レンズユニットＬ２，Ｌ４が被写体距離に応じた特定の位置関係を維持するように両レンズユニットＬ２，Ｌ４を移動させる。すなわち、ズームエンコーダ２２５で得られる第２レンズユニットＬ２の移動位置と被写体距離に対応するメモリ位置に対して、フォーカスエンコーダ２２７で得られる第４レンズユニットＬ４の位置が一致するようにフォーカスモータ１５の駆動を制御する。
【００５３】
また、ＴＶ−ＡＦ動作では、ＣＰＵ２３２は、ＡＦ信号処理回路２３１からのＡＦ評価値がピーク値を示すように、フォーカスモータ１５の駆動を制御する。
【００５４】
また、ＣＰＵ２３２は、ＡＥゲート２２９を通過した輝度信号Ｙの平均値が適正露出を得るための値になるように、第１及び第２の絞りモータ７ｃ，７ｄの駆動を制御して、開口径をコントロールする。
【実施例２】
【００５５】
図６には、本発明の実施例２であるビデオカメラのズーム駆動機構に用いられるラック１６′の構成を示している。図６は、ラック１６′を不図示のリードスクリューの径方向外側から見て示している。１８は実施例１でも説明したコイルばねである。
【００５６】
ラック１６′の基本的な構成は、実施例１のラック１６と同じである。すなわち、ラック１６′は、リードスクリュー１４ｂと噛み合うメイン歯部１６ｂと、該メイン歯部１６ｂとの間にリードスクリュー１４ｂを挟み込む加圧歯部１６ｄと、このラック１６′をズーム移動枠２に取り付けるための取り付け部１６ａとを有する。また、ラック１６′は、取り付け部１６ａと加圧歯部１６ｄとの間を繋ぐ板バネ形状の接続部１６ｅと、接続部１６ｅの内側における加圧歯部１６ｄ寄りの位置に形成された突起１６ｆとを有する。
【００５７】
また、光軸方向視においては、加圧歯部１６ｄの内側に形成された加圧歯１６ｄ１は、取り付け部１６ａから離れるほどメイン歯１６ｂ１との間隔が狭くなるようにメイン歯１６ｂ１に対して傾斜している。つまり、加圧歯１６ｄ１は、引き込み角度を有する。
【００５８】
突起１６ｆの形状も、実施例１と同じである。すなわち、光軸方向視において、突起１６ｆはその取り付け部１６ａ側の端部に傾斜形状を有する。そして、メイン歯１６ｂ１に対する該傾斜端部の傾斜角は、メイン歯１６ｂ１に対する加圧歯１６ｄ１の引き込み角より大きい。
【００５９】
ただし、実施例１では、ラック１６に形成されたメイン歯１６ｂ１及び加圧歯１６ｄ１の長手方向が、リードスクリュー１４ｂの軸方向に直交する方向に対して平行な方向である場合について説明した。この場合、メイン歯１６ｂ１及び加圧歯１６ｄ１は、リードスクリュー１４ｂにおいてリードを形成するために軸方向に対して斜めに延びるスクリュー歯とは異なる方向に延びた状態で該スクリュー歯に噛み合う。
【００６０】
これに対し、本実施例では、図６に示すように、メイン歯１６ｂ１及び加圧歯１６ｄ１は軸方向に対してスクリュー歯と同じ角度だけ傾いている。これにより、リードスクリュー１４ｂのスクリュー歯により滑らかに噛み合う。
【００６１】
本実施例のラック１６′を樹脂成型する場合も、実施例１で図４を用いて説明した第１〜第３金型Ａ〜Ｃを用いる。
【００６２】
図６に示すようにメイン歯１６ｂ１は、矢印ａ方向に延びている。これに対し、リードスクリュー１４ｂを挟んでメイン歯１６ｂ１とは反対側に配置される加圧歯１６ｄ１は、メイン歯１６ｂ１とは逆方向に傾くように延びている。本実施例では、第１金型Ａは、メイン歯１６ｂ１が延びる矢印ａ方向に引き抜かれる。
【００６３】
この引き抜きに際して、実施例１と同様に、第１金型Ａの突起成形部が突起１６ｆの傾斜端部１６ｆ１を押し、接続部１６ｅの弾性変形を利用して加圧歯部１６ｄをメイン歯部１６ｂから離す。これにより、矢印ａ方向に引き抜かれる第１金型Ａが加圧歯１６ｄ１に引っかかったり加圧歯１６ｄ１を傷つけたりすることを回避できる。
【００６４】
すなわち、メイン歯１６ｂ１と加圧歯１６ｄ１とが互い異なる方向に延びている一体成型部品としてのラック１６′についても、スムーズに第１金型Ａを引き抜くことができる。
【００６５】
なお、本実施例のビデオカメラの構成は、実施例１と同じである。
【００６６】
また、上記各実施例では、ビデオカメラについて説明したが、本発明は、デジタルスチルカメラや交換レンズ等の他の光学機器にも適用することができる。
【００６７】
さらに、上記各実施例では、ラック１６，１６′に設けた突起１６ｆの端部１６ｆ１が直線的な傾斜形状を有する場合について説明したが、該端部１６ｆ１の形状はこれに限らず、曲線的な形状であってもよい。この場合、端部１６ｆ１における最も取り付け部１６ａ側の部分の接線のメイン歯１６ｂ１に対する傾き角度を、加圧歯１６ｄ１の傾き角度より大きく設定するとよい。
【図面の簡単な説明】
【００６８】
【図１】本発明の実施例１であるビデオカメラの構成を示す分解斜視図。
【図２】実施例１のビデオカメラの構成を示す断面図。
【図３Ａ】実施例１のビデオカメラにおけるズーム駆動機構の構成を示す分解斜視図。
【図３Ｂ】実施例１のズーム駆動機構の構成を示す正面図。
【図４】実施例１のズーム駆動機構に用いられるラックの成型時の金型構造を示す図。
【図５】実施例１のビデオカメラの電気的構成を示すブロック図。
【図６】本発明の実施例２であるビデオカメラのズーム駆動機構に用いられるラックの構成を示す側面図。
【符号の説明】
【００６９】
Ｌ１  第１レンズユニット
Ｌ２  第２レンズユニット
Ｌ３  第３レンズユニット
Ｌ４  第４レンズユニット
１    前玉鏡筒
２    ズーム移動枠
３    固定鏡筒
４    フォーカス移動枠
５    撮像素子ホルダ
６    撮像素子
７    光量調節ユニット
１４  ズームモータ
１５  フォーカスモータ
１６，１７  ラック
Ａ〜Ｃ  金型
【図３Ｂ】
2008158069.tif 000003
【図１】
2008158069.tif 000004
【図２】
2008158069.tif 000005
【図３Ａ】
2008158069.tif 000006
【図４】
2008158069.tif 000007
【図５】
2008158069.tif 000008
【図６】
2008158069.tif 000009